【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ固有挿入期間オフセットを決定することと、
チャネル又は干渉推定変調シンボルをデータ変調シンボルのシーケンスに挿入することと、ここにおいて、前記チャネル又は干渉推定変調シンボルが、前記ユーザ固有挿入期間オフセットに従ってデータ変調シンボルの前記シーケンスに挿入される、
データ変調シンボルの前記シーケンス中の変調シンボルのグループに対して離散フーリエ変換（ＤＦＴ）を実行することと、変調シンボルの前記グループが、前記チャネル又は干渉推定変調シンボルのうちの少なくとも１つを含む、
前記ＤＦＴの出力に少なくとも部分的に基づいて、シングルキャリア周波数領域変調（ＳＣ−ＦＤＭ）シンボルストリームを生成することと
を備える、方法。
【請求項２】
基地局からチャネル又は干渉推定変調シンボル挿入命令を受信することを更に備え、ここにおいて、前記チャネル又は干渉推定変調シンボルが、前記チャネル又は干渉推定変調シンボル挿入命令に従ってデータ変調シンボルの前記シーケンスに挿入される、
請求項１に記載の方法。
【請求項３】
前記チャネル又は干渉推定変調シンボル挿入命令に少なくとも部分的に基づいて、チャネル又は干渉推定変調シンボル挿入条件を識別すること
を更に備える、請求項２に記載の方法。
【請求項４】
前記チャネル又は干渉推定変調シンボルが、前記データ変調シンボルに関する低減された変調次数を有する、請求項１に記載の方法。
【請求項５】
データ変調シンボルの前記シーケンス中のデータ変調シンボルが、前記チャネル又は干渉推定変調シンボルにレートマッチングされる、請求項１に記載の方法。
【請求項６】
前記レートマッチングが、適応可能であり、データ変調シンボルの前記シーケンスに少なくとも部分的に基づく、請求項５に記載の方法。
【請求項７】
ワイヤレス通信のための装置であって、
ユーザ固有挿入期間オフセットを決定するための手段と、
チャネル又は干渉推定変調シンボルをデータ変調シンボルのシーケンスに挿入するための手段と、ここにおいて、前記チャネル又は干渉推定変調シンボルが、前記ユーザ固有挿入期間オフセットに従ってデータ変調シンボルの前記シーケンスに挿入される、
データ変調シンボルの前記シーケンス中の変調シンボルのグループに対して離散フーリエ変換（ＤＦＴ）を実行するための手段と、変調シンボルの前記グループが、前記チャネル又は干渉推定変調シンボルのうちの少なくとも１つを含む、
前記ＤＦＴの出力に少なくとも部分的に基づいて、シングルキャリア周波数領域変調（ＳＣ−ＦＤＭ）シンボルストリームを生成するための手段と
を備える、装置。
【請求項８】
基地局からチャネル又は干渉推定変調シンボル挿入命令を受信するための手段を更に備え、ここにおいて、前記チャネル又は干渉推定変調シンボルが、前記チャネル又は干渉推定変調シンボル挿入命令に従ってデータ変調シンボルの前記シーケンスに挿入される、請求項７に記載の装置。
【請求項９】
前記チャネル又は干渉推定変調シンボル挿入命令に少なくとも部分的に基づいて、チャネル又は干渉推定変調シンボル挿入条件を識別するための手段
を更に備える、請求項８に記載の装置。
【請求項１０】
ワイヤレス通信のための方法であって、
異なるユーザに関連する複数のＳＣ−ＦＤＭシンボルストリームを受信することと、
ユーザ固有挿入期間オフセットに従って、異なるＳＣ−ＦＤＭシンボルストリームから前記異なるユーザに対応するチャネル又は干渉推定変調シンボルを復元することと、
少なくとも１つのシングルキャリア周波数領域変調（ＳＣ−ＦＤＭ）シンボルストリームの各々について複数のデータ変調シンボル及びチャネル又は干渉推定変調シンボルを復元するために、前記少なくとも１つのＳＣ−ＦＤＭシンボルストリームの各々について離散フーリエ変換（ＤＦＴ）のトーンデマッピングされた出力に対して逆離散フーリエ変換（ＩＤＦＴ）を実行することと、
前記チャネル又は干渉推定変調シンボルに少なくとも部分的に基づいて干渉を推定することと、
推定された前記干渉に少なくとも部分的に基づいて前記データ変調シンボルを復号することと
を備える、方法。
【請求項１１】
各トーンデマッピングされた出力に対して等化を実行すること
を更に備え、
ここにおいて、前記ＩＤＦＴが、各等化されたトーンデマッピングされた出力に対して実行される、
請求項１０に記載の方法。
【請求項１２】
ＳＣ−ＦＤＭシンボルストリームに対応する前記チャネル又は干渉推定変調シンボルが、前記ＳＣ−ＦＤＭシンボルストリームに対応する前記データ変調シンボルに関する低減された変調次数を有する、請求項１０に記載の方法。
【請求項１３】
ワイヤレス通信のための装置であって、
異なるユーザに関連する複数のＳＣ−ＦＤＭシンボルストリームを受信するための手段と、
ユーザ固有挿入期間オフセットに従って、異なるＳＣ−ＦＤＭシンボルストリームから前記異なるユーザに対応するチャネル又は干渉推定変調シンボルを復元するための手段と、
少なくとも１つのシングルキャリア周波数領域変調（ＳＣ−ＦＤＭ）シンボルストリームの各々について複数のデータ変調シンボル及びチャネル又は干渉推定変調シンボルを復元するために、前記少なくとも１つのＳＣ−ＦＤＭシンボルストリームの各々について離散フーリエ変換（ＤＦＴ）のトーンデマッピングされた出力に対して逆離散フーリエ変換（ＩＤＦＴ）を実行するための手段と、
前記チャネル又は干渉推定変調シンボルに少なくとも部分的に基づいて干渉を推定するための手段と、
推定された前記干渉に少なくとも部分的に基づいて前記データ変調シンボルを復号するための手段と
を備える、装置。
【請求項１４】
各トーンデマッピングされた出力に対して等化を実行するための手段
を更に備え、
ここにおいて、前記ＩＤＦＴが、各等化されたトーンデマッピングされた出力に対して実行される、
請求項１３に記載の装置。
【請求項１５】
請求項１〜請求項６又は請求項１０〜請求項１２のうちのいずれか一項に記載の方法を実行するための命令を備える、コンピュータプログラム。
【手続補正２】
【補正対象書類名】明細書
【補正対象項目名】０１５０
【補正方法】変更
【補正の内容】
【０１５０】
[00162]本開示についての以上の説明は、当業者が本開示を作成又は使用することができるように与えられたものである。本開示への様々な変更は当業者には容易に明らかとなり、本明細書で定義した一般原理は、本開示の範囲から逸脱することなく他の変形形態に適用され得る。従って、本開示は、本明細書で説明した例及び設計に限定されるべきでなく、本明細書で開示した原理及び新規の特徴に一致する最も広い範囲を与えられるべきである。
以下に本願の出願当初の特許請求の範囲に記載された発明を付記する。
[Ｃ１]  ワイヤレス通信のための方法であって、
チャネル又は干渉推定変調シンボルをデータ変調シンボルのシーケンスに挿入することと、
データ変調シンボルの前記シーケンス中の変調シンボルのグループに対して離散フーリエ変換（ＤＦＴ）を実行することと、変調シンボルの前記グループが、前記チャネル又は干渉推定変調シンボルのうちの少なくとも１つを含む、
前記ＤＦＴの出力に少なくとも部分的に基づいて、シングルキャリア周波数領域変調（ＳＣ−ＦＤＭ）シンボルストリームを生成することと
を備える、方法。
[Ｃ２]  前記チャネル又は干渉推定変調シンボルが、０シンボル又は既知の非０シンボルのうちの少なくとも１つを備える、Ｃ１に記載の方法。
[Ｃ３]  基地局からチャネル又は干渉推定変調シンボル挿入命令を受信することを更に備え、ここにおいて、前記チャネル又は干渉推定変調シンボルが、前記チャネル又は干渉推定変調シンボル挿入命令に従ってデータ変調シンボルの前記シーケンスに挿入される、
Ｃ１に記載の方法。
[Ｃ４]  前記チャネル又は干渉推定変調シンボル挿入命令が、前記基地局からの送信許可に関して受信される、Ｃ３に記載の方法。
[Ｃ５]  前記チャネル又は干渉推定変調シンボル挿入命令が疑似静的命令を備える、Ｃ３に記載の方法。
[Ｃ６]  前記チャネル又は干渉推定変調シンボル挿入命令に少なくとも部分的に基づいて、チャネル又は干渉推定変調シンボル挿入条件を識別すること
を更に備える、Ｃ３に記載の方法。
[Ｃ７]  ユーザ固有挿入期間オフセットを決定すること
を更に備え、
ここにおいて、前記チャネル又は干渉推定変調シンボルが、前記ユーザ固有挿入期間オフセットに従ってデータ変調シンボルの前記シーケンスに挿入される、
Ｃ１に記載の方法。
[Ｃ８]  前記チャネル又は干渉推定変調シンボルが、前記データ変調シンボルに関する低減された変調次数を有する、Ｃ１に記載の方法。
[Ｃ９]  前記チャネル又は干渉推定変調シンボルの各々が、前記ＳＣ−ＦＤＭシンボルストリームのために割り振られた幾つかのリソースブロック内の全ての周波数にわたる、Ｃ１に記載の方法。
[Ｃ１０]  同数のチャネル又は干渉推定変調シンボルが、前記ＳＣ−ＦＤＭシンボルストリームの各ＳＣ−ＦＤＭシンボ中に含まれる、Ｃ１に記載の方法。
[Ｃ１１]  データ変調シンボルの前記シーケンス中のデータ変調シンボルが、前記チャネル又は干渉推定変調シンボルにレートマッチングされる、Ｃ１に記載の方法。
[Ｃ１２]  前記レートマッチングが、適応可能であり、データ変調シンボルの前記シーケンスに少なくとも部分的に基づく、Ｃ１１に記載の方法。
[Ｃ１３]  ワイヤレス通信のための装置であって、
チャネル又は干渉推定変調シンボルをデータ変調シンボルのシーケンスに挿入するための手段と、
データ変調シンボルの前記シーケンス中の変調シンボルのグループに対して離散フーリエ変換（ＤＦＴ）を実行するための手段と、変調シンボルの前記グループが、前記チャネル又は干渉推定変調シンボルのうちの少なくとも１つを含む、
前記ＤＦＴの出力に少なくとも部分的に基づいて、シングルキャリア周波数領域変調（ＳＣ−ＦＤＭ）シンボルストリームを生成するための手段と
を備える、装置。
[Ｃ１４]  前記チャネル又は干渉推定変調シンボルが、０シンボル又は既知の非０シンボルのうちの少なくとも１つを備える、Ｃ１３に記載の装置。
[Ｃ１５]  基地局からチャネル又は干渉推定変調シンボル挿入命令を受信するための手段を更に備え、ここにおいて、前記チャネル又は干渉推定変調シンボルが、前記チャネル又は干渉推定変調シンボル挿入命令に従ってデータ変調シンボルの前記シーケンスに挿入される、Ｃ１３に記載の装置。
[Ｃ１６]  前記チャネル又は干渉推定変調シンボル挿入命令が、前記基地局からの送信許可に関して受信される、Ｃ１５に記載の装置。
[Ｃ１７]  前記チャネル又は干渉推定変調シンボル挿入命令に少なくとも部分的に基づいて、チャネル又は干渉推定変調シンボル挿入条件を識別するための手段
を更に備える、Ｃ１５に記載の装置。
[Ｃ１８]  ユーザ固有挿入期間オフセットを決定するための手段
を更に備え、
ここにおいて、前記チャネル又は干渉推定変調シンボルが、前記ユーザ固有挿入期間オフセットに従ってデータ変調シンボルの前記シーケンスに挿入される、
Ｃ１５に記載の装置。
[Ｃ１９]  同数のチャネル又は干渉推定変調シンボルが、前記ＳＣ−ＦＤＭシンボルストリームの各ＳＣ−ＦＤＭシンボ中に含まれる、Ｃ１３に記載の装置。
[Ｃ２０]  ワイヤレス通信のための方法であって、
少なくとも１つのシングルキャリア周波数領域変調（ＳＣ−ＦＤＭ）シンボルストリームの各々について複数のデータ変調シンボル及びチャネル又は干渉推定変調シンボルを復元するために、前記少なくとも１つのＳＣ−ＦＤＭシンボルストリームの各々について離散フーリエ変換（ＤＦＴ）のトーンデマッピングされた出力に対して逆離散フーリエ変換（ＩＤＦＴ）を実行することと、
前記チャネル又は干渉推定変調シンボルに少なくとも部分的に基づいて干渉を推定することと、
推定された前記干渉に少なくとも部分的に基づいて前記データ変調シンボルを復号することと
を備える、方法。
[Ｃ２１]  各トーンデマッピングされた出力に対して等化を実行すること
を更に備え、
ここにおいて、前記ＩＤＦＴが、各等化されたトーンデマッピングされた出力に対して実行される、
Ｃ２０に記載の方法。
[Ｃ２２]  前記チャネル又は干渉推定変調シンボルが、０シンボル又は既知の非０シンボルのうちの少なくとも１つを備える、Ｃ２０に記載の方法。
[Ｃ２３]  ＳＣ−ＦＤＭシンボルストリームに対応する前記チャネル又は干渉推定変調シンボルが、前記ＳＣ−ＦＤＭシンボルストリームに対応する前記データ変調シンボルに関する低減された変調次数を有する、Ｃ２０に記載の方法。
[Ｃ２４]  異なるユーザに関連する複数のＳＣ−ＦＤＭシンボルストリームを受信することと、  ユーザ固有挿入期間オフセットに従って、異なるＳＣ−ＦＤＭシンボルストリームから前記異なるユーザに対応するチャネル又は干渉推定変調シンボルを復元することと
を更に備える、Ｃ２０に記載の方法。
[Ｃ２５]  第１のＳＣ−ＦＤＭシンボルストリームに対応する変調シンボルの第１のグループ内の第１の複数のデータ変調シンボルが、第２のＳＣ−ＦＤＭシンボルストリームに対応する変調シンボルの第２のグループ内の第１の複数のチャネル又は干渉推定変調シンボルのために推定された干渉に少なくとも部分的に基づいて復号される、Ｃ２０に記載の方法。
[Ｃ２６]  ワイヤレス通信のための装置であって、
少なくとも１つのシングルキャリア周波数領域変調（ＳＣ−ＦＤＭ）シンボルストリームの各々について複数のデータ変調シンボル及びチャネル又は干渉推定変調シンボルを復元するために、前記少なくとも１つのＳＣ−ＦＤＭシンボルストリームの各々について離散フーリエ変換（ＤＦＴ）のトーンデマッピングされた出力に対して逆離散フーリエ変換（ＩＤＦＴ）を実行するための手段と、
前記チャネル又は干渉推定変調シンボルに少なくとも部分的に基づいて干渉を推定するための手段と、
推定された前記干渉に少なくとも部分的に基づいて前記データ変調シンボルを復号するための手段と
を備える、装置。
[Ｃ２７]  各トーンデマッピングされた出力に対して等化を実行するための手段
を更に備え、
ここにおいて、前記ＩＤＦＴが、各等化されたトーンデマッピングされた出力に対して実行される、
Ｃ２６に記載の装置。
[Ｃ２８]  前記チャネル又は干渉推定変調シンボルが、０シンボル又は知られている非０シンボルのうちの少なくとも１つを備える、Ｃ２６に記載の装置。
[Ｃ２９]  異なるユーザに関連する複数のＳＣ−ＦＤＭシンボルストリームを受信するための手段と、
ユーザ固有挿入期間オフセットに従って、異なるＳＣ−ＦＤＭシンボルストリームから前記異なるユーザに対応するチャネル又は干渉推定変調シンボルを復元するための手段とを更に備える、Ｃ２６に記載の装置。
[Ｃ３０]  第１のＳＣ−ＦＤＭシンボルストリームに対応する変調シンボルの第１のグループ内の第１の複数のデータ変調シンボルが、第２のＳＣ−ＦＤＭシンボルストリームに対応する変調シンボルの第２のグループ内の第１の複数のチャネル又は干渉推定変調シンボルのために推定された干渉に少なくとも部分的に基づいて復号される、Ｃ２６に記載の装置。